(57)【要約】      （修正有）【課題】板状の棚板を螺子などの接合部材を使用することなく設置できる多様な陳列形態を採ることが可能なマルチ陳列枠体及びマルチ陳列棚を提供する。【解決手段】水平板３１ｄと水平板３１ｄの後端で連続する垂直板３３ｄからなる単位段差３ｄが、上下方向に４つ連続する階段状であり、縦置きと横置きの２通りの設置が可能な陳列枠体１０であって、水平板３１ｄと垂直板３３ｄの接続コーナー部に棚板が挿入され設置される貫通孔３２ｄを設けたマルチ陳列枠体１０、及びこのマルチ陳列枠体１０の貫通孔３２ｄに、板状の棚板を挿入して水平板３１ｄ上に載置したマルチ陳列棚。【選択図】図１
0003137419.tif 000002
【実用新案登録請求の範囲】
【請求項１】
所定長さの水平板と該水平板の後端で連続する該水平板の幅寸法より大の高さ寸法で該水平板と同じ長さの垂直板からなる単位段差が、上下方向に連続する階段状である陳列枠体であって、
該水平板と該垂直板の接続コーナー部に棚板が挿入され設置される貫通孔を設けたことを特徴とするマルチ陳列枠体。
【請求項２】
該貫通孔は、縦置きにおける正面視で該棚板が挿入される孔形状を有すると共に、横置きにおける正面視で該棚板が挿入される孔形状を有するものであることを特徴とする請求項１記載のマルチ陳列枠体。
【請求項３】
該単位段差の個数が、２〜６であることを特徴とする請求項１又は２記載のマルチ陳列枠体。
【請求項４】
ベース板本体と、該ベース板本体に後方への倒伏姿勢が角度調整自在に設置されるマルチ陳列枠体本体部との２部材で構成される請求項１〜３のいずれか１項に記載のマルチ陳列枠体。
【請求項５】
請求項１〜４記載のマルチ陳列枠体の該貫通孔、該水平板及び該垂直板で形成される２つの角部に、側面視が横コ字形状の係止片にバー部材を付設した商品吊り下げ用フック部材を係合させてなることを特徴とするマルチ陳列棚。
【請求項６】
請求項１〜４記載のマルチ陳列枠体の該貫通孔に、板状の棚板を挿入して該水平板上に載置することを特徴とするマルチ陳列棚。
【請求項７】
請求項１〜４記載のマルチ陳列枠体を垂直板が水平となり、水平板が垂直となるように設置し、該マルチ陳列枠体の該貫通孔に、板状の棚板を挿入して該垂直板上に載置することを特徴とするマルチ陳列棚。
【請求項８】
該板状の棚板の裏面に左右方向に延びる３本の筋状突起を、前後方向に該水平板が嵌る寸法のピッチで形成したことを特徴とする請求項６又は７記載のマルチ陳列棚。
【請求項９】
該垂直板の前面に左右方向に延びる２本の横溝を、上下方向に該３本の筋状突起の中の２本が嵌る寸法のピッチで形成したことを特徴とする請求項６〜８のいずれか１項に記載のマルチ陳列棚。
【請求項１０】
商品陳列棚の棚面に設置される請求項５〜９のいずれか１項に記載のマルチ陳列棚。
【考案の詳細な説明】
【技術分野】
【０００１】
本考案は、スーパーなどの商品陳列棚面に設置される比較的小さなもので、縦置き設置形態及び横置き設置形態を採ることができるマルチ陳列枠体及びマルチ陳列棚に関するものである。
【背景技術】
【０００２】
従来、スーパーなどにおいて使用される商品陳列棚は商品の陳列の演出効果を高めるため、多様な陳列面を形成できる商品陳列棚が登場している。例えば、側面視が波形断面の商品陳列棚を前後方向に１８０度反転させて２形態に陳列を演出できる陳列棚やこれに陳列補助台を設置する陳列棚などが挙げられる。しかし、商品によっては水平棚板に設置したい場合がある。この様な商品の場合、側面視が波形断面の商品陳列棚は基台の設置角度を調整しない限り使用できない。
【０００３】
従来、水平棚板を有する商品陳列棚はマルチの陳列面を形成できない単一の棚装置であって、陳列形態を変える場合はせいぜい水平棚板を外す程度の変更しかできないものであった。
【０００４】
近年、スーパーなどの商品陳列棚面に設置される比較的小さなもので、縦置き及び横置きの設置が可能で、且つこれらの設置形態において水平棚板の固定を螺子などの接合部材を使用することなく行える商品陳列棚の登場が望まれていた。更に商品を吊り下げて陳列するバー部材の設置が同時に可能な商品陳列棚の登場が望まれていた。
【考案の開示】
【考案が解決しようとする課題】
【０００５】
従って、本考案の目的は、比較的小さな１台の商品陳列棚であって、縦置き及び横置きの設置が可能で、且つ水平棚板を螺子などの接合部材を使用することなく設置することができると共に、商品吊り下げ用バー部材の設置が可能なマルチ陳列枠体及びマルチ陳列棚を提供することにある。
【課題を解決するための手段】
【０００６】
すなわち、本考案は上記課題を解決するものであって、所定長さの水平板と該水平板の後端で連続する該水平板の幅寸法より大の高さ寸法で該水平板と同じ長さの垂直板からなる単位段差が、上下方向に連続する階段状である陳列枠体であって、該水平板と該垂直板の接続コーナー部に棚板が挿入され設置される貫通孔を設けたマルチ陳列枠体を提供するものである。
【０００７】
また、本考案は、前記マルチ陳列枠体の該貫通孔、該水平板及び該垂直板で形成される２つの角部に、側面視が横コ字形状の係止片にバー部材を付設した商品吊り下げ用フック部材を係合させてなるマルチ陳列棚を提供するものである。
【０００８】
また、本考案は、前記マルチ陳列枠体の該貫通孔に、板状の棚板を挿入して該水平板上に載置するマルチ陳列棚を提供するものである。
【考案の効果】
【０００９】
本考案は、例えば既存の商品陳列棚面などの基台に縦置きで設置し、商品吊り下げ用フック部材を取り付ければ、吊り下げ商品を趣きのある形態で陳列できる。また、同様の縦置き形態において棚板を複数枚設置すれば、上方空間を利用した複数の陳列面を上下多段で形成できる。また、横置き形態で設置すれば、前方空間を利用した複数の陳列面を上下多段で形成できる。また、縦置きで且つ陳列面が後方に傾斜する姿勢で設置すれば、棚板が後方下り傾斜面となる陳列面を形成でき、また、当該設置姿勢のものを前方下り傾斜姿勢の基台に設置すれば、棚板を水平姿勢に保つことができる。
【考案を実施するための最良の形態】
【００１０】
次ぎに、本考案の実施の形態におけるマルチ陳列枠体及びマルチ陳列棚を図１〜図５を参照して説明する。図１は第１の実施の形態例におけるマルチ陳列棚の部分分解斜視図、図２は本例のマルチ陳列棚の斜視図、図３は本例のマルチ陳列枠体の裏面から見た分解斜視図、図４は本例のマルチ陳列枠体の一部を破断して示した図、図５はベース板本体とマルチ陳列枠体本体部との接続部の拡大図である。なお、本明細書において、特段の説明がある場合を除き、「前」及び「後」、「上」及び「下」、「左」及び「右」はは設置状態における顧客側から見た位置を言う。また、「マルチ」は商品の陳列形態が多様であることを意味する言葉である。
【００１１】
マルチ陳列枠体１０は、単位段差３ａ、３ｂ、３ｃ及び３ｄが上下方向に連続する階段状（ひな壇形状）の段差を有するもので縦置きと横置きの２設置形態をとることができる。単位段差３ａ、３ｂ、３ｃ及び３ｄはいずれも同じ形状、同じ作用を奏するため、１つの単位段差３ａについて説明する。マルチ陳列枠体１０において単位段差３ａ、３ｂ、３ｃ及び３ｄが上下方向に連続する階段状の面が表面、その裏側が裏面となる。
【００１２】
単位段差３ａは、所定長さｌと幅寸法ｗを有する水平板３１ａと水平板３１ａの後端で連続する水平板３１ａの幅寸法ｗより大の高さ寸法ｈで水平板３１ａと同じ長さｌの垂直板３３ａからなり、水平板３１ａと垂直板３３ａの接続コーナー部に棚板２０が挿入され設置される貫通孔３２ａを設けたものである。なお、水平板３１ａ及び垂直板３３ａは部材の名称であって、例えば横置き形態において水平板３１ａが垂直姿勢をとっても水平板３１ａであることに変わりはない。
【００１３】
貫通孔３２ａの長さは、水平板３１ａの長さｌよりやや短いものである。これにより、水平板３１ａと垂直板３３ａが連続する一体構造の階段状面を形成すると共に、商品吊り下げ用フック部材の設置面積を大きく採ることができる。また、貫通孔３２ａは水平板３１ａと垂直板３３ａの接続コーナー部に形成されるため、幅寸法は一概に規定できないものの、縦置きにおける正面視で一定厚みの棚板２０が挿入される高さの孔形状と、横置きにおける正面視で同じ厚み形状の棚板２０が挿入される孔形状が連続したものである（図４及び図８参照）。すなわち、貫通孔３２ａは図１の縦置きに形態のみで説明すれば、貫通孔３２ａに対して正面から棚板２０を後方に向けて水平状態を維持して挿入できる高さの孔を有し、上方から棚板２０を下方に向けて鉛直状態を維持して挿入できる幅寸法の孔を有するものである。
【００１４】
垂直板３３ａの前面には、左右方向に延びる横溝３４ｄを、上下方向に所定のピッチで２本形成している。この横溝３４ｄは横置き形態において棚板２０の裏面に形成される筋状突起の中の２本が嵌るものであり、棚板２０の設置の安定性を高めるものである。なお、マルチ陳列枠体１０において、最下段を構成する単位段差３ａの水平板３１ａに連続する下方位置にある垂直板４（スカート部）には横溝３４ｄが形成されていない。これは横置き形態において棚板２０が垂直板４に載置されることがないためである。しかし、垂直板４には横溝が形成されていてもよい。
【００１５】
垂直板３３ａの下端部材６は水平板３１ａの幅寸法より大きな幅寸法を有する板状部材であることが、棚板２０の設置が安定する点で好ましい。なお、最上部にある単位段差３ｄの裏側には２つの係合部を有している。２つの係合部の中の一つは下端部材６の上方に中間部材６１を設け、下端部材６と中間部材６１間に形成された係合溝５２である（図８参照）。また、他の一つは垂直板３３ｄの後端面と左右側板２２に形成された上下２つの突起５間で形成される隙間５１である。係合溝５２には商品情報を表示したサインボード３０の取り付けが可能となる（図９参照）。また、隙間５１には商品情報を表示したサインボード４０の取り付けが可能となる（図１０参照）。また、垂直板３３ｄの裏面はリブ構造３４ａを採ることにより、軽量化と強度を高めている。また、垂直板３３ｄの上端には水平板４ａを設置することで、フック部材１１の取り付けを可能にしている。
【００１６】
マルチ陳列枠体１０は、ベース板本体１とマルチ陳列枠体本体部２との２部材で構成される。マルチ陳列枠体本体部２は、上記構成を表面部２１に有する枠体構造であって、表面部２１と表面部２１の両側端から後方へ延出する左右側板２２とからなる。左右側板２２の後端は、縦置き形態において鉛直面を形成するように形成されている。また、左右側板２２の下端は後方傾斜した際の障害とならないよう、後方上り傾斜状に切りかかれている。すなわち、当該傾斜状の切り欠きは、マルチ陳列枠体本体部２がベース板本体１に対して最大倒伏した際、概ね水平となるように形成される。
【００１７】
ベース板本体１に対するマルチ陳列枠体本体部２の係合方法は、角度調整の際の支点となる前方係合部と位置決め用の後方係合部の２ヶ所で行なわれる。前方係合部はベース本体１の前後方向の中央よりやや前方両側にマルチ陳列枠体本体部２の軸１５２を回動自在に軸支する軸支持体１５１と、マルチ陳列枠体本体部２の軸１５２から形成される。後方係合部は、ベース板本体１の後方の左右両側に形成される左右方向の外側に突出する左右一対の第１係合片９２と、マルチ陳列枠体本体部２の側板後方の下部に形成される第２係合片２２１及び４つの係合孔２３から形成される。第１係合片９２は、断面がＬ字形状の本体部９１と本体部９１の上端に上方に延びると突出片と更に該突出片の先端から左右外側にそれぞれ延びる第１係合片９２とからなる。第２係合片２２１に係合している第１係合片９２を４つの係合孔２３の一つに係合させるには左右一対のＬ字形状の本体部９１を手で外側に向けてやや広げて所定の係合孔２３に係合させればよい。
【００１８】
ベース板本体１の左右両側には、係合凸部１３ａと係合凹部１３ｂが形成されており、複数のマルチ陳列枠体１０の左右方向における連結を可能にしている。また、ベース板本体１には垂直面を有する後方板１４が形成されており、垂直面にマグネット８を付設して金属面への設置安定性を高めている。また、ベース板本体１の裏面にもマグネット２枚付設して金属面への設置安定性を高めている（図３）。
【００１９】
マルチ陳列枠体１０において、垂直板３３ａ〜３３ｄに形成される横溝３４ａ〜３４ｄは任意の構成要素である。また、マルチ陳列枠体１０は上記形態のように２部材から形成されなくとも、単一の部材から形成されたものであってもよい。この場合、後方に傾斜する陳列姿勢はとれない。また、単位段差の数は上記４つに限定されず、２つ以上６つの範囲で適宜選択される。また、マルチ陳列枠体１０は上記マグネットの使用に限定されず、公知の固定手段を用いることができる。マルチ陳列枠体１０は次ぎに述べるような補助部材が取り付けられて使用される。基台である陳列棚に設置されるマルチ陳列枠体１０の縦置きの寸法は例えば高さ３０〜８０ｃｍ程度、幅が２０〜７０ｃｍ程度である。
【００２０】
次ぎに、第１の実施の形態におけるマルチ陳列棚を図１及び図２を参照して説明する。本例のマルチ陳列棚１０Ａはマルチ陳列枠体１０の例えば貫通孔３２ｃ、水平板３１ｂ及び垂直板３３ｂで形成される２つの角部に、側面視が横コ字形状の係止片１１２にバー部材１１１を付設した商品吊り下げ用フック部材１１を係合させてなるものである（図２参照）。商品吊り下げ用フック部材１１は、単位段差３ａ〜３ｄのそれぞれの上部の２つの角部に設置可能である。これによりマルチ陳列棚１０Ａは吊り下げ商品の陳列棚として使用できる。商品吊り下げ用フック部材１１は、図示のものに限定されず、ダブルフック部材などが使用できる。
【００２１】
次ぎに、第２の実施の形態におけるマルチ陳列棚を図６〜図８を参照して説明する。図６（Ａ）は表面から見た棚板の斜視図、（Ｂ）は裏面から見た棚板の斜視図、図７は本例のマルチ陳列棚の斜視図、図８は図７のマルチ陳列棚の縦断面図である。図６〜図８において、図１と同一構成要素には同一符号を付して、その説明を省略し異なる点について主に説明する。本例のマルチ陳列棚１０Ｂにおいてマルチ陳列棚１０Ａと異なる点は、横溝３４ｄを必須の構成要素としたこと、及びフック部材１１に代えて板状の棚板２０を使用したことにある。本例のマルチ陳列棚１０Ｂはマルチ陳列枠体１０の貫通孔３２ａ〜３２ｄに、板状の棚板２０を挿入して水平板３１ａ〜３１ｄ上に載置したものである。
【００２２】
板状の棚板２０の裏面には左右方向に延びる３本の筋状突起２０３を、前後方向に水平板３１ａ〜３１ｄが嵌る寸法のピッチで形成されている。この筋状突起２０３を水平板３１ａ〜３１ｄ上に嵌め込むことにより、板状の棚板２０の前後方向の移動が制限され前後方向の設置が安定する。また、棚板２０に商品が載置されても水平板３１ａ〜３１ｄの後方の浮き上がりは、垂直板３３ａの下端部材６で規制されており上下方向の設置が安定する。板状の棚板２０の設置は貫通孔３２ａ〜３２ｄから適宜選択されたものに挿入すればよい。これによりマルチ陳列棚１０Ｂは水平棚が上下方向に多段で形成された陳列棚として使用できる。また、板状の棚板２０の陳列面の面積は貫通孔３２ａ〜３２ｄへの挿入の程度（嵌合程度）を適宜選択することで２段階で変更できる。また、板状の棚板２０の裏面に形成される筋状突起２０３は３本に限定されず、１本、２本又は４本以上であってもよい。
【００２３】
マルチ陳列棚１０Ｂが設置される基台としては、特に制限されないが、例えば図１２に示すような商品陳列棚９０の棚板９０１が挙げられる。商品陳列棚９０は不図示の枠体に固定される支持体９０４の棚板９０１と、棚板９０１の前方端のＰＯＳレールからなるものが例示される。これにより、小物商品を趣のある形態で陳列できる。
【００２４】
次ぎに、第３の実施の形態におけるマルチ陳列棚を図９及び図１０を参照して説明する。図９は本例のマルチ陳列棚の一部を分解した斜視図、図１０は本例の他のマルチ陳列棚の一部を分解した斜視図である。図９及び図１０において図１と同一構成要素には同一符号を付して、その説明を省略し、異なる点について主に説明する。すなわち、マルチ陳列棚１０Ｄにおいてマルチ陳列棚１０Ｂと異なる点は、マルチ陳列棚１０Ｄはマルチ陳列棚１０Ｂに対してサインボード３０又は４０を取り付けた点にある。サインボード３０は水平板３０２と水平板３０２の後端から上方へ延びる垂直板３０１からなる略Ｌ字断面のボードである。サインボード３０は最上部の垂直板３３ｄの裏面に形成された係合溝５２に水平板３０２が差し込まれて設置される（図９）。
【００２５】
サインボード４０は中央よりやや下方の左右側面に段差４０１を有する板状物である。サインボード４０は最上部の垂直板３３ｄの裏面に形成された係合溝５２に水平板３０２が差し込まれて設置される（図１０）。
【００２６】
次ぎに、第４の実施の形態におけるマルチ陳列棚を図１１を参照して説明する。図１１は本例のマルチ陳列棚の縦断面図である。図１１において図１と同一構成要素には同一符号を付してその説明を省略し、異なる点について主に説明する。すなわち、マルチ陳列棚１０Ｅにおいてマルチ陳列棚１０Ｂと異なる点は、マルチ陳列棚１０Ｂの陳列面が斜め上方に向くよう、マルチ陳列枠体本体部２を後方に傾斜するようにした点にある。このような傾斜姿勢はベース本体１の第１係合片９２をマルチ陳列枠体本体部２の第２係合孔２３２の下方から２番目の孔に係合させることにより達成できる。マルチ陳列棚１０Ｅによれば、縦置き形態において陳列面が斜め上方に向くようにできるため、マルチ陳列棚１０Ｂとは異なる趣の陳列面を演出できる。また、マルチ陳列棚１０Ｅを前方下り傾斜の棚板９０３に設置すれば、商品を載置する棚板２０を水平棚板として使用できる（図１３参照）。なお、第２係合孔２３２の設置個数は適宜選択され、また、陳列面の傾斜角は第２係合孔２３２の孔を選択することで変化させることができる。
【００２７】
次ぎに、第５の実施の形態におけるマルチ陳列棚を図１４〜図１６を参照して説明する。図１４は本例のマルチ陳列棚の斜視図、図１５は図１４のマルチ陳列棚で使用するマルチ陳列枠体の斜視図、図１６は図１４のマルチ陳列棚の縦断面図である。図１４〜図１６において図１及び図７と同一構成要素には同一符号を付してその説明を省略し、異なる点について主に説明する。すなわち、マルチ陳列棚１０Ｆにおいてマルチ陳列棚１０Ｂと異なる点は、縦置き形態を横置き形態とした点にある。すなわち、図１の縦置きのマルチ陳列枠体の背面が底面、上方が前方となるように設置形態を図１５のように変え、貫通孔３２ａ、３２ｄに棚板２０をそれぞれ設置する。
【００２８】
板状の棚板２０の裏面に形成される３本の筋状突起２０３の中の２本を、垂直板３３ａの横溝３４ａ及び垂直板３３ｃの横溝３４ｃにそれぞれ嵌めることにより、板状の棚板２０の前後方向の移動が制限され前後方向の設置が安定する。また、棚板２０に商品が載置されても水平板３２ａ、３２ｃの後方の浮き上がりは、垂直板３３ａの後端部で規制されており上下方向の設置が安定する。板状の棚板２０の設置は貫通孔３２ａ〜３２ｄから適宜選択されたものに挿入すればよい。また、板状の棚板２０の陳列面の面積は貫通孔３２ａ〜３２ｄへの挿入の程度（嵌合程度）を適宜選択することで数段階で変更できる。マルチ陳列棚１０Ｆによれば水平棚が前方空間を利用したもので上下方向に多段で形成された陳列棚として使用できる。
【図面の簡単な説明】
【００２９】
【図１】第１の実施の形態例におけるマルチ陳列棚の部分分解斜視図である。
【図２】本例のマルチ陳列棚の斜視図である。
【図３】本例のマルチ陳列棚で使用するマルチ陳列枠体の裏面から見た分解斜視図である。
【図４】本例のマルチ陳列枠体の一部を破断して示した図である。
【図５】ベース板本体とマルチ陳列枠体本体部との接続部の拡大図である。
【図６】（Ａ）は表面から見た板状の棚板の斜視図、（Ｂ）は裏面から見た板状の棚板の斜視図である。
【図７】第２の実施の形態例のマルチ陳列棚の斜視図である。
【図８】図７のマルチ陳列棚の縦断面図である。
【図９】第３の実施の形態例のマルチ陳列棚の一部を分解した斜視図である。
【図１０】図９のマルチ陳列棚の変形例の一部を分解した斜視図である。
【図１１】第４の実施の形態におけるマルチ陳列棚の縦断面図である。
【図１２】第２の実施の形態例のマルチ陳列棚の使用例である。
【図１３】第４の実施の形態例のマルチ陳列棚の使用例である。
【図１４】第５の実施の形態例のマルチ陳列棚の斜視図である。
【図１５】図１４のマルチ陳列棚で使用するマルチ枠体の斜視図である。
【図１６】図１５のマルチ陳列棚の縦断面図である。
【符号の説明】
【００３０】
１    ベース板本体
２    マルチ陳列枠体本体部
３ａ、３ｂ、３ｃ、３ｄ    単位段差
１０    マルチ陳列枠体
１１    フック部材
２０    板状の棚板
２１    表面部
２２    左右側板
３０、４０    サインボード
３１ａ、３１ｂ、３１ｃ、３１ｄ    水平板
３２ａ、３２ｂ、３２ｃ、３２ｄ    貫通孔
３３ａ、３３ｂ、３３ｃ、３３ｄ    垂直板
３４ａ、３４ｂ、３４ｃ、３４ｄ    横溝
【図１】
0003137419.tif 000003
【図２】
0003137419.tif 000004
【図３】
0003137419.tif 000005
【図４】
0003137419.tif 000006
【図５】
0003137419.tif 000007
【図６】
0003137419.tif 000008
【図７】
0003137419.tif 000009
【図８】
0003137419.tif 000010
【図９】
0003137419.tif 000011
【図１０】
0003137419.tif 000012
【図１１】
0003137419.tif 000013
【図１２】
0003137419.tif 000014
【図１３】
0003137419.tif 000015
【図１４】
0003137419.tif 000016
【図１５】
0003137419.tif 000017
【図１６】
0003137419.tif 000018